Podtech/llm-jp-corpus-v4-ja_patent huggingface dataset:
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
バゼドキシフェンアセテートの多形Ａ形を８０重量％含有する、医薬組成物。
【請求項２】
バゼドキシフェンアセテートの多形Ａ形を９０重量％含有する、医薬組成物。
【請求項３】
医薬組成物中のバゼドキシフェンアセテートの少なくとも約９０重量％が多形Ａ形として存在し；
前記組成物中の前記バゼドキシフェンアセテートの約１０重量％以下が多形Ｂ形として存在する、前記バゼドキシフェンアセテート；及び
製薬上許容される担体または賦形剤
を含有する前記医薬組成物。
【請求項４】
医薬組成物中のバゼドキシフェンアセテートの少なくとも約９５重量％が多形Ａ形として存在し；
前記組成物中の前記バゼドキシフェンアセテートの約５重量％以下が多形Ｂ形として存在する、前記バゼドキシフェンアセテート；及び
製薬上許容される担体または賦形剤
を含有する、請求項３に記載の医薬組成物。
【請求項５】
医薬組成物中のバゼドキシフェンアセテートの少なくとも約９７重量％が多形Ａ形として存在し；
前記組成物中の前記バゼドキシフェンアセテートの約３重量％以下が多形Ｂ形として存在する、前記バゼドキシフェンアセテート；及び
製薬上許容される担体または賦形剤
を含有する、請求項３に記載の医薬組成物。
【請求項６】
２θに関して、約１２．７°及び約１８．５°の特徴的ピークを含む粉末Ｘ線回折パターンを有するバゼドキシフェンアセテートの結晶多形（Ａ形）を含有する、請求項１から５のいずれか一項に記載の医薬組成物。
【請求項７】
前記粉末Ｘ線回折パターンが、２θに関して、約１６．０°、約２０．７°及び約２２．３°の特徴的ピークをさらに含む、請求項６に記載の医薬組成物。
【請求項８】
前記粉末Ｘ線回折パターンが、２θに関して、約９．８°、約１２．７°、約１５．２°、約１６．０°、約１７．１°、約１７．４°、約１８．５°、約１８．８°、約１９．６°、約２０．４°、約２０．７°、約２２．３°、約２３．５°、約２４．９°、約２５．６°、約２６．１°、約２７．４°、約２８．０°、約２８．７°、約２９．６°、約２９．９°及び約３０．７°から選択される少なくとも５の特徴的ピークを含む、請求項６に記載の医薬組成物。
【請求項９】
実質的に図１に示す粉末Ｘ線回折パターンを有する、請求項６に記載の医薬組成物。
【請求項１０】
約１５１１、約１４６７及び約１２４２ｃｍ-1から選択される１以上の特徴的ピークを含むＫＢｒにおける赤外スペクトルを有する、請求項６に記載の医薬組成物。
【請求項１１】
実質的に図２に示すＫＢｒにおける赤外スペクトルを有する、請求項６に記載の医薬組成物。
【請求項１２】
約１７６℃で最大値を示す示差走査熱量測定トレースを有する、請求項６に記載の医薬組成物。
【請求項１３】
実質的に図３に示す示差走査熱量測定トレースを有する、請求項６に記載の医薬組成物。
【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
Ｒが、少なくとも１つのハロゲンで置換されたＣ１−Ｃ８アルキルである、
以下の化学式
【化１】
2007532575.tif 000001
を有する化合物、又はその医薬的に許容可能な塩。
【請求項２】
Ｒが少なくとも１つのハロゲンで置換されたＣ２−Ｃ８アルキルである、請求項１に記載の化合物。
【請求項３】
Ｒが少なくとも１つのハロゲンで置換されたＣ３−Ｃ７アルキルである、請求項２に記載の化合物。
【請求項４】
Ｒが少なくとも１つのハロゲンで置換されたＣ３−Ｃ６である、請求項３に記載の化合物。
【請求項５】
Ｒが少なくとも１つのフルオロ基で置換されたＣ３−Ｃ６である、請求項４に記載の化合物。
【請求項６】
Ｒが少なくとも２つのフルオロ基で置換されたＣ３−Ｃ６である、請求項５に記載の化合物。
【請求項７】
Ｒが６つのフルオロ基で置換されたｔ−ブチル基である、請求項６に記載の化合物。
【請求項８】
Ｒが
【化２】
2007532575.tif 000002
である、請求項７に記載の化合物。
【請求項９】
１，１，１，３，３，３−ヘクサフルオロ−２−メチルプロパン−２−イル４−（（４−ヒドロキシ−２−オキソ−２Ｈ−クロメン−３−イル）メチル）ベンゾエートである、請求項１に記載の化合物、またはその医薬的に許容可能な塩類。
【請求項１０】
１，１，１，３，３，３−へクサフルオロ−２−メチルプロパン−２−イル４−（（４−ヒドロキシ−２−オキソ−２Ｈ−クロメン−３−イル）メチル）ベンゾエートである、請求項１に記載の化合物。
【請求項１１】
１，１，１，３，３，３−へクサフルオロ−２−メチルプロパン−２−イル４−（（４−ヒドロキシ−２−オキソ−２Ｈ−クロメン−３−イル）メチル）ベンゾエートのナトリウムまたはカリウム塩である、請求項１に記載の医薬的に許容可能な塩。
【請求項１２】
ナトリウム塩である、請求項１１に記載の医薬的に許容可能な塩。
【請求項１３】
請求項１に記載の化合物または塩と、少なくとも１つの医薬的に許容可能な流動促進剤、溶媒、補助剤、稀釈剤、潤滑剤、賦形剤、またはそれらの組み合わせとを含む組成物。
【請求項１４】
Ｒが、少なくとも１つのクロロ基で置換されたＣ１−Ｃ８アルキルである、
以下の化学式
【化３】
2007532575.tif 000003
を有する化合物、又はその医薬的に許容可能な塩。
【請求項１５】
Ｒが少なくとも１つのクロロ基で置換されたＣ２−Ｃ８アルキルである、請求項１４に記載の化合物。
【請求項１６】
Ｒが少なくとも１つのクロロ基で置換されたＣ３−Ｃ７アルキルである、請求項１５に記載の化合物。
【請求項１７】
Ｒが少なくとも１つのクロロ基で置換されたＣ３−Ｃ６である、請求項１６に記載の化合物。
【請求項１８】
Ｒが少なくとも２つのクロロ基で置換されたＣ３−Ｃ６である、請求項１７に記載の化合物。
【請求項１９】
Ｒが６つのクロロ基で置換されたｔ−ブチル基である、請求項１８に記載の化合物。
【請求項２０】
Ｒが
【化４】
2007532575.tif 000004
である、請求項１９に記載の化合物。
【請求項２１】
１，１，１，３，３，３−ヘクサクロロ−２−メチルプロパン−２−イル４−（（４−ヒドロキシ−２−オキソ−２Ｈ−クロメン−３−イル）メチル）ベンゾエートである、請求項１４に記載の化合物、またはその医薬的に許容可能な塩類。
【請求項２２】
１，１，１，３，３，３−へクサクロロ−２−メチルプロパン−２−イル４−（（４−ヒドロキシ−２−オキソ−２Ｈ−クロメン−３−イル）メチル）ベンゾエートである、請求項１４に記載の化合物。
【請求項２３】
１，１，１，３，３，３−へクサクロロ−２−メチルプロパン−２−イル４−（（４−ヒドロキシ−２−オキソ−２Ｈ−クロメン−３−イル）メチル）ベンゾエートのナトリウムまたはカリウム塩である、請求項１４に記載の医薬的に許容可能な塩。
【請求項２４】
ナトリウム塩である、請求項２３に記載の医薬的に許容可能な塩。
【請求項２５】
請求項１４から２４の何れか１項に記載の化合物又は塩と、少なくとも１つの医薬的に許容可能な流動促進剤、溶媒、補助剤、稀釈剤、潤滑剤、賦形剤又はそれらの組み合わせとを含む、組成物。
【請求項２６】
（Ｒ）−３，３，４，４，４−ペンタフルオロブタン−２−イル  ４−（（４−ヒドロキシ−２−オキソ−２Ｈ−クロメン−３−イル）メチル）ベンゾエート；
（Ｓ）−３，３，４，４，４−ペンタフルオロブタン−２−イル  ４−（（４−ヒドロキシ−２−オキソ−２Ｈ−クロメン−３−イル）メチル）ベンゾエート；
２，２，２−トリクロロエチル  ４−（（４−ヒドロキシ−２−オキソ−２Ｈ−クロメン−３−イル）メチル）ベンゾエート；
（Ｒ）−１，１，１−トリクロロプロパン−２−イル  ４−（（４−ヒドロキシ−２−オキソ−２Ｈ−クロメン−３−イル）メチル）；又は
（Ｓ）−１，１，１−トリクロロプロパン−２−イル  ４−（（４−ヒドロキシ−２−オキソ−２Ｈ−クロメン−３−イル）メチル）ベンゾエートである化合物、又はそれらの医薬的に許容可能な塩。
【請求項２７】
請求項２６に記載の化合物。
【請求項２８】
請求項２６に記載の医薬的に許容可能な塩。
【請求項２９】
以下の化学式
【化５】
2007532575.tif 000005
を有する化合物。
【請求項３０】
１，１，１，３，３，３−へクサフルオロ−２−メチル−２−プロパノールである化合物。
【請求項３１】
請求項１８に記載の化合物のＲ−エナンチオマー。
【請求項３２】
請求項２６に記載の化合物又は塩と、少なくとも１つの医薬的に許容可能な流動促進剤、溶媒、補助剤、稀釈剤、潤滑剤、賦形剤又はそれらの組み合わせとを含む、組成物。
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
アルキレンオキシド含有ポリマーに結合された１つ以上のＩＲＭ化合物を含む、可溶性ＩＲＭ−ポリマー複合体。
【請求項２】
前記可溶性ＩＲＭ−ポリマー複合体の溶解度が、生理学的条件下で、水１ミリリットルあたり少なくとも１マイクログラムである、請求項１に記載の可溶性ＩＲＭ−ポリマー複合体。
【請求項３】
前記ＩＲＭ−ポリマー複合体の分子量が１ｋＤａ〜５００ｋＤａである、請求項１又は２に記載の可溶性ＩＲＭ−ポリマー複合体。
【請求項４】
前記ＩＲＭ−ポリマー複合体の分子量が２０ｋＤａ〜２００ｋＤａである、請求項３に記載の可溶性ＩＲＭ−ポリマー複合体。
【請求項５】
１つ以上のＩＲＭ化合物が、アルキレンオキシド含有ポリマーに共有結合で結合されている、請求項１〜４のいずれか１項に記載の可溶性ＩＲＭ−ポリマー複合体。
【請求項６】
前記可溶性ポリマーが、ポリ（アルキレングリコール）、ポリ（オレフィンアルコール）、ポリビニルピロリドン、ポリ（ヒドロキシアルキルメタクリルアミド）、ポリ（ヒドロキシアルキルメタクリレート）、ポリビニルアルコール、ポリオキサゾリン、ポリ（アクリル酸）、ポリアクリルアミド、ポリグルタメート、ポリリシン、多糖類、及びこれらの組み合わせからなる群から選択される、請求項１又は請求項１に従属する場合を除いて請求項２〜４のいずれか１項に記載の可溶性ＩＲＭ−ポリマー複合体。
【手続補正書】
【提出日】平成20年3月31日(2008.3.31)
【手続補正１】
【補正対象書類名】特許請求の範囲
【補正対象項目名】全文
【補正方法】変更
【補正の内容】
【特許請求の範囲】
【請求項１】
事実上純粋な構造式ＩＩの化合物：
【化１】
2007532576.tif 000001
または製薬学的に容認できるその塩からなる。ここで
Ｒ１はＨまたはＣ１−Ｃ１０アルキル、
Ｒ２はＨまたはオプションとしてＣ１−Ｃ１０アルキル、ヘテロアルキル、シクロアルキルまたはヘテロシクロアルキルと置換できる、
ｎ＝０から４、
ｐ＝０または１
Ｒ３とＲ４はそれぞれＨまたはＣ１−Ｃ４アルキルである。
【請求項２】
Ｒ１はエチル、
Ｒ２は（Ｓ）−２−ブチル、（Ｒ）−２−ブチル、（Ｓ）−３−メチル−２−ブチル、または（Ｒ）−３−メチル−２−ブチルであること。
ｎ＝０または１、一番好ましくはｎ＝１、
ｐ＝０、そしてＲ３およびＲ４は独立して、Ｈまたはメチルである、請求項１による化合物。
【請求項３】
ｎは１である、請求項２による化合物。
【請求項４】
以下から選択される、請求項１による化合物。
【化２】
2007532576.tif 000002
【請求項５】
以下から選択される、請求項１による化合物。
ａ）  （Ｓ）−｛３−［４−（２−エチルアミノ−エトキシル）−３，５−ジヨード−ベンゾイル］−ベンゾフラン−２−ｙｌ｝−酢酸  ｓｅｃ−ブチルエステル
ｂ）  ｛３−［４−（２−エチルアミノ−エトキシル）−３，５−ジヨード−ベンゾイル］−ベンゾフラン−２−ｙｌ｝−酢酸
ｃ）  （Ｓ）−｛３−［４−（２−アミノ−エトキシル）−３，５−ジヨード−ベンゾイル］−ベンゾフラン−２−ｙｌ｝−酢酸  ｓｅｃ−ブチルエステル
ｄ）  ｛３−［４−（２−アミノ−エトキシル）−３，５−ジヨード−ベンゾイル］−ベンゾフラン−２−ｙｌ｝−酢酸
ｅ）  （Ｒ）−｛３−［４−（２−エチルアミノ−エトキシル）−３，５−ジヨード−ベンゾイル］−ベンゾフラン−２−ｙｌ｝−酢酸  ｓｅｃ−ブチルエステル
ｆ）  （Ｒ）−｛３−［４−（２−アミノ−エトキシル）−３，５−ジヨード−ベンゾイル］−ベンゾフラン−２−ｙｌ｝−酢酸  ｓｅｃ−ブチルエステル
ｇ）  （Ｓ）−｛３−［４−（２−エチルアミノ−エトキシル）−３，５−ジヨード−ベンゾイル］−ベンゾフラン−２−ｙｌ｝−酢酸  １，２−ジメチル−プロピルエステル
ｈ）  （Ｒ）−｛３−［４−（２−エチルアミノ−エトキシル）−３，５−ジヨード−ベンゾイル］−ベンゾフラン−２−ｙｌ｝−酢酸  １，２−ジメチル−プロピルエステル
ｉ）  （Ｓ）−｛３−［４−（２−アミノ−エトキシル）−３，５−ジヨード−ベンゾイル］−ベンゾフラン−２−ｙｌ｝−酢酸  １，２−ジメチル−プロピルエステル
ｊ）  （Ｒ）−｛３−［４−（２−アミノ−エトキシル）−３，５−ジヨード−ベンゾイル］−ベンゾフラン−２−ｙｌ｝−酢酸  １，２−ジメチル−プロピルエステル
【請求項６】
請求項１による化合物と、医薬品として容認できる担体、希釈剤または賦形剤とを含む組成物。
【請求項７】
請求項２による化合物と、医薬品として容認できる担体、希釈剤または賦形剤とを含む組成物。
【請求項８】
請求項３による化合物と、医薬品として容認できる担体、希釈剤または賦形剤とを含む組成物。
【請求項９】
請求項４による化合物と、医薬品として容認できる担体、希釈剤または賦形剤とを含む組成物。
【請求項１０】
請求項５による化合物と、医薬品として容認できる担体、希釈剤または賦形剤とを含む組成物。
【請求項１１】
心不整脈を治療するための、請求項６から１０の何れか１項に記載の組成物。
【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
筋萎縮性側索硬化症、多発性硬化症およびＣ型肝炎の処置または予防のための、臓器または組織移植拒絶反応の処置または予防のための、および移植片対宿主病の予防のための医薬組成物の製造における、３−（１−メチル−１Ｈ−インドル−３−イル）−４−［１−｛（１−ピリジン−２−イルメチル）−ピペリジン−４−イル｝−１Ｈ−インドル−３−イル］−ピロール−２，５−ジオン、または３−（１−メチル−１Ｈ−インドル−３−イル）−４−［１−（ピペリジン−４−イル）−１Ｈ−インドル−３−イル］−ピロール−２，５−ジオン、またはそれらの薬学的に許容される塩、水和物もしくは溶媒和物である、タンパク質キナーゼＣ阻害剤の使用。
【請求項２】
筋萎縮性側索硬化症、多発性硬化症、Ｃ型肝炎および／または、臓器または組織移植拒絶反応の処置または予防のための、または移植片対宿主病の予防のための、１種以上のそれらの薬学的に許容される希釈剤もしくは担体とともに、３−（１−メチル−１Ｈ−インドル−３−イル）−４−［１−｛（１−ピリジン−２−イルメチル）−ピペリジン−４−イル｝−１Ｈ−インドル−３−イル］−ピロール−２，５−ジオン、または３−（１−メチル−１Ｈ−インドル−３−イル）−４−［１−（ピペリジン−４−イル）−１Ｈ−インドル−３−イル］−ピロール−２，５−ジオン、またはそれらの薬学的に許容される塩、水和物もしくは溶媒和物である、タンパク質キナーゼＣ阻害剤を含む医薬組成物。
【請求項３】
ａ）３−（１−メチル−１Ｈ−インドル−３−イル）−４−［１−｛（１−ピリジン−２−イルメチル）−ピペリジン−４−イル｝−１Ｈ−インドル−３−イル］−ピロール−２，５−ジオン、または３−（１−メチル−１Ｈ−インドル−３−イル）−４−［１−（ピペリジン−４−イル）−１Ｈ−インドル−３−イル］−ピロール−２，５−ジオン、またはそれらの薬学的に許容される塩、水和物もしくは溶媒和物である、タンパク質キナーゼＣ阻害剤、およびｂ）少なくとも１種の免疫抑制剤および免疫調節剤から選択される第２の薬剤を含む、医薬組成物。
【請求項４】
第２の薬剤がカルシニューリン阻害剤；ｍＴＯＲ阻害剤、ラパログ、コルチコステロイド、シクロホスファミド、アザチオプレン、メトトレキサート、Ｓ１Ｐ受容体アゴニスト、レフルノミドもしくはそれらのアナログ、ミゾルビン、ミコフェノール酸もしくはそれらの塩、ミコフェノール酸モフェチル、１５−デオキシスペルグアリンもしくはそれらのアナログ、免疫抑制性モノクローナル抗体、免疫調節剤化合物、接着分子阻害剤から選択される、請求項３に記載の組合せ。
【請求項５】
第２の薬剤がシクロスポリンＡ、ＦＫ５０６、ラパマイシン、４０−Ｏ−（２−ヒドロキシエチル）−ラパマイシン、ＦＴＹ  ７２０もしくはそれらのアナログ、ミコフェノール酸ナトリウム塩、白血球受容体ＭＨＣ、ＣＤ２、ＣＤ３、ＣＤ４、ＣＤ１１ａ／ＣＤ１８、ＣＤ７、ＣＤ２５、ＣＤ２７、Ｂ７、ＣＤ４０、ＣＤ４５、ＣＤ５８、ＣＤ１３７、ＩＣＯＳ、ＣＤ１５０（ＳＬＡＭ）、ＯＸ４０、もしくは４−１ＢＢまたはそれらのリガンドへのモノクローナル抗体、ＬＥＡ２９Ｙ、ＬＦＡ−１アンタゴニスト、セレクチンアンタゴニストおよびＶＬＡ−４アンタゴニストから選択される、請求項４に記載の組合せ。
【請求項６】
処置を必要とする対象における筋萎縮性側索硬化症、多発性硬化症、Ｃ型肝炎、臓器または組織移植拒絶反応の処置もしくは予防、あるいは移植片対宿主病の予防のための方法であって、該対象に治療有効量の３−（１−メチル−１Ｈ−インドル−３−イル）−４−［１−｛（１−ピリジン−２−イルメチル）−ピペリジン−４−イル｝−１Ｈ−インドル−３−イル］−ピロール−２，５−ジオン、もしくは３−（１−メチル−１Ｈ−インドル−３−イル）−４−［１−（ピペリジン−４−イル）−１Ｈ−インドル−３−イル］−ピロール−２，５−ジオン、またはそれらの薬学的に許容される塩、水和物もしくは溶媒和物を投与することを含む方法。
【手続補正２】
【補正対象書類名】明細書
【補正対象項目名】００２２
【補正方法】変更
【補正の内容】
【００２２】
今回、式Ｉ、ＩＩ、ＩＩＩまたはＩＶ、例えば式Ｉａ、Ｉｂ、ＩＩａおよびＩＩＩａのタンパク質キナーゼＣ阻害剤、およびそれらの薬学的に許容される塩、水和物もしくは溶媒和物は、臓器、組織もしくは細胞移植拒絶反応の処置および予防、例えば固形臓器もしくは組織、例えば心臓、肺、複合心臓−肺、肝臓、腎臓、膵臓、皮膚もしくは角膜移植、または細胞、例えば幹細胞、もしくはインシュリン−生成細胞、例えば膵臓島細胞のレシピエントの処置に有用であることを見いだした。これらは、骨髄移植後のような、移植片対宿主病の予防にも指示される。
【手続補正３】
【補正対象書類名】明細書
【補正対象項目名】００２３
【補正方法】変更
【補正の内容】
【００２３】
本発明の特定の発見にしたがって、下記が提供される。
１．１  処置を必要とする対象における、臓器、組織および細胞移植拒絶反応、例えば心臓、肺、複合心臓−肺、肝臓、腎臓、膵臓、皮膚もしくは角膜移植拒絶反応を処置、および移植片対宿主病を予防するための方法であって、治療有効量の式Ｉ、ＩＩ、ＩＩＩまたはＩＶ、例えば式Ｉａ、Ｉｂ、ＩＩａおよびＩＩＩａ、好ましくは化合物ＡもしくはＢのタンパク質キナーゼＣ阻害剤、またはそれらの薬学的に許容される塩、水和物もしくは溶媒和物を該患者に投与することを含む、方法。
【手続補正４】
【補正対象書類名】明細書
【補正対象項目名】００４６
【補正方法】変更
【補正の内容】
【００４６】
化合物Ａおよび化合物Ｂは、特に移植拒絶反応の処置もしくは予防のための、および移植片対宿主病の予防のための使用に好ましい。
【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
対象（subject）（ただし、ヒトを除く）の血清中の血中尿素窒素濃度を低減させる方法であって、
マウスの腎虚血再かん流(reperfusion)テストに基づいて対象の血清中の血中尿素窒素
濃度を低減させる活性を有するオリゴペプチドを含む組成物を対象に投与することを含み、前記オリゴペプチドが、配列ＱＧＶ又はＭＴＲＶ（配列番号１）を含む方法。
【請求項２】
前記対象が、急性腎不全を患っている請求項１に記載の方法。
【請求項３】
オリゴペプチドが、ＡＱＧＶ（配列番号２）からなる請求項１に記載の方法。
【請求項４】
組成物が、対象に対して非経口投与される請求項１に記載の方法。
【請求項５】
組成物が、対象に対して経口投与される請求項１に記載の方法。
【請求項６】
組成物が、オリゴペプチド及びＰＢＳを主成分とする請求項１に記載の方法。
【請求項７】
オリゴペプチドが、合成起源である請求項１に記載の方法。
【請求項８】
対象の体重に対し量にして約０．２５〜約１０ｍｇ／ｋｇの組成物のオリゴペプチドを静脈から患者に投与する請求項３に記載の方法。
【請求項９】
オリゴペプチドの長さが、３〜１２個のアミノ酸である請求項１に記載の方法。
【請求項１０】
組成物が１〜３種のオリゴペプチドを主成分とする請求項１に記載の方法。
【請求項１１】
対象が、持続性減尿症を患っている請求項１に記載の方法。
【請求項１２】
対象の腎臓が、対象の体重１キログラム当たり１時間で１／２ｍｌを超える尿を生産しない請求項１に記載の方法。
【請求項１３】
対象の血清カリウムレベルが、血清１リットル当たり６．５ｍｍｏｌを超える請求項１０に記載の方法。
【請求項１４】
対象（subject）の血清中の血中尿素窒素濃度を低減させるために前記対象に投与する組成物であって、
マウスの腎虚血再かん流(reperfusion)テストに基づき決定された対象の血清中の血中尿素窒素濃度を低減させる活性を有するオリゴペプチドを含み、
前記オリゴペプチドは、配列ＱＧＶ又はＭＴＲＶ（配列番号１）を含む、組成物。
【請求項１５】
前記対象が急性腎不全を患っている、請求項１４に記載の組成物。
【請求項１６】
オリゴペプチドがＡＱＧＶ（配列番号２）からなる、請求項１４に記載の組成物。
【請求項１７】
組成物が対象に対して非経口投与される、請求項１４に記載の組成物。
【請求項１８】
組成物が対象に対して経口投与される、請求項１４に記載の組成物。
【請求項１９】
組成物がオリゴペプチド及びＰＢＳを主成分とする、請求項１４に記載の組成物。
【請求項２０】
オリゴペプチドが合成起源である、請求項１４に記載の組成物。
【請求項２１】
対象の体重に対し量にして約０．２５〜約１０ｍｇ／ｋｇの組成物のオリゴペプチドを静脈から患者に投与する、請求項１６に記載の組成物。
【請求項２２】
オリゴペプチドの長さが３〜１２個のアミノ酸である、請求項１６に記載の組成物。
【請求項２３】
組成物が１〜３種のオリゴペプチドを主成分とする、請求項１４に記載の組成物。
【請求項２４】
対象が持続性減尿症を患っている、請求項１４に記載の組成物。
【請求項２５】
対象の腎臓が、対象の体重１キログラム当たり１時間で１／２ｍｌを超える尿を生産しない、請求項１４に記載の組成物。
【請求項２６】
対象の血清カリウムレベルが血清１リットル当たり６．５ｍｍｏｌを超える、請求項２３に記載の組成物。
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
２θに関して、約１３．３°および約２０．８°において固有ピーク(characteristic peaks)を含んでいる粉末Ｘ線回折パターンを有する、バゼドキシフェンアセテートの結晶質多形体形態Ｂ。
【請求項２】
前記粉末Ｘ線回折パターンはさらに、２θに関して、約２１．６°および約２５．０°において固有ピークを含んでいる、請求項１に記載の多形体。
【請求項３】
前記粉末Ｘ線回折パターンは、２θに関して、約１２．１°、約１３．３°、約１３．４°、約１４．５°、約１５．６°、約１５．９°、約１６．９°、約１８．８°、約１９．４°、約２０．８°、約２１．６°、約２２．７°、約２２．８°、約２４．２°、約２５．０°、約２６．０°、約２９．９°、約３０．５°、および約３４．２°から選択された少なくとも５つの固有ピークを含んでいる、請求項１に記載の多形体。
【請求項４】
実質的に図１に示されているような粉末Ｘ線回折パターンを有する、請求項１に記載の多形体。
【請求項５】
約１５１３、約１４４９、約１４０６、および約１２４２ｃｍ-1から選択された、１またはそれ以上の固有ピークを含んでいる、ＫＢｒにおける赤外線スペクトルを有する、請求項１に記載の多形体。
【請求項６】
実質的に図２に示されているような、ＫＢｒにおける赤外線スペクトルを有する、請求項１に記載の多形体。
【請求項７】
約１８１℃で最大を示す示差走査熱量測定痕跡(trace)を有する、請求項１に記載の多形体。
【請求項８】
実質的に図３に示されているような示差走査熱量測定痕跡を有する、請求項１に記載の多形体。
【請求項９】
請求項１から８のいずれか一項に記載の多形体の治療的有効量を哺乳動物に投与するによって、エストロゲン欠乏もしくはエストロゲン過剰に関連した病気もしくは症候群を有する哺乳動物を治療するための医薬組成物。
【請求項１０】
請求項１から８のいずれか一項に記載の多形体の治療的有効量を哺乳動物に投与することによって、子宮内膜組織の増殖もしくは異常な発達と関連した病気もしくは障害を有する哺乳動物を治療するための医薬組成物。
【請求項１１】
請求項１から８のいずれか一項に記載の多形体の治療的有効量を哺乳動物に投与することによって、哺乳動物におけるコレステロールを低下するための医薬組成物。
【請求項１２】
請求項１から８のいずれか一項に記載の多形体の治療的有効量を哺乳動物に投与することによって、哺乳動物における骨量減少を阻害するための医薬組成物。
【請求項１３】
請求項１から８のいずれか一項に記載の多形体の治療的有効量を哺乳動物に投与することによって、哺乳動物における乳癌を治療するための医薬組成物。
【請求項１４】
請求項１から８のいずれか一項に記載の多形体の治療的有効量を閉経後の女性に投与することによって、閉経後の女性の１またはそれ以上の血管運動神経障害を治療するための医薬組成物。
【請求項１５】
前記血管運動神経障害が、のぼせである、請求項１４に記載の医薬組成物。
【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
皮下注射処方物または筋肉注射処方物中のタンパク質有効成分のバイオアベイラビリティを増強するために用いられる、ジパルミトステアリン酸グリセロールを含んでなる処方剤。
【請求項２】
ジパルミトステアリン酸グリセロールが、欧州薬局方第３版の命名法による第１種霧化型である、請求項１に記載の処方剤。
【請求項３】
タンパク質有効成分が、ソマトトロピン類似体、ソマトメジン−Ｃ、ゴナドトロピン放出ホルモン、卵胞刺激ホルモン、黄体形成ホルモン放出ホルモン（ＬＨＲＨ）およびその類似体（ロイプロリド、ナファレリンおよびゴセレリンなど）、ＬＨＲＨアゴニストおよびアンタゴニスト、成長ホルモン放出因子、カルシトニン、コルヒチン、ゴナドトロピン（絨毛性ゴナドトロピンなど）、オキシトシン、オクトレオチド、ソマトトロピン、アミノ酸関連ソマトトロピン、バソプレシン、副腎皮質刺激ホルモン、上皮増殖因子、プロラクチン、ソマトスタチン、タンパク質関連ソマトロピン、コシントロピン、リプレシン、チロトロピン放出ホルモンなどのポリペプチド、セクレチン、パンクレオザイミン、エンケファリン、グルカゴン、および内分泌されて血流により分配される内分泌物質からなる群から選択されるペプチドまたはペプチド誘導体である、請求項１および２のいずれかに記載の処方剤。
【請求項４】
タンパク質有効成分が、α１−抗トリプシン、因子VIII、因子IXおよびその他の凝固因子、インスリンおよびその他のペプチドホルモン、成長ホルモン、皮質アンドロゲン刺激ホルモン、甲状腺刺激ホルモンおよびその他の下垂体ホルモン、副甲状腺ホルモン関連タンパク質、インターフェロンα、β、γおよびδ、エリトロポエチン（ＥＰＯ）、増殖因子（顆粒球コロニー刺激因子（ＧＣＳＦ）、顆粒球マクロファージコロニー刺激因子（ＧＭＣＳＦ）、神経増殖因子（ＮＧＦ）、ＧＤＮＦなどの神経栄養因子、インスリン様増殖因子など、組織プラスミノーゲンアクチベーター、ＣＤ４、ｄＤＡＶＰ、腫瘍壊死因子（ＴＮＦ）、膵臓酵素、ラクターゼ、サイトカイン、インターロイキン−１受容体アンタゴニスト、インターロイキン−２、腫瘍壊死因子（ＴＮＦ）受容体、腫瘍抑制タンパク質、細胞傷害性タンパク質などからなる群から選択されるタンパク質である、請求項１および２のいずれかに記載の処方剤。
【請求項５】
タンパク質有効成分が、サイトカインの中、有利にはインターフェロンの中から選択される、請求項４に記載の処方剤。
【請求項６】
インターフェロンが、インターフェロンα−２ｂである、請求項５に記載の処方剤。
【請求項７】
タンパク質有効成分が、大きさ０．１μｍ〜１００μｍ、好ましくは大きさ１μｍ〜２５μｍの範囲の粒子中に含まれている、請求項１〜６のいずれか一項に記載の処方剤。
【請求項８】
タンパク質有効成分が、脂質とともに、ナノカプセル、マイクロカプセル（脂質核、タンパク質外被構造）、ナノスフェア、マイクロスフェア、円柱状または円盤状インプラント（タンパク質有効成分分散物を含有する脂質マトリックス構造）の形態、好適にはマトリックス構造の形態に処方されている、請求項１〜７のいずれか一項に記載の処方剤。
【請求項９】
処方系が、１μｍ〜５００μｍの範囲の大きさである、請求項１〜８のいずれか一項に記載の処方剤。
【請求項１０】
タンパク質有効成分の粒子が、直径１０μｍ〜１００μｍの範囲の脂質粒子系に処方されている、請求項９に記載の処方剤。
【請求項１１】
タンパク質有効成分の粒子が、直径１０μｍ〜３００μｍの脂質インプラントに処方されている、請求項１０に記載の処方剤。
【請求項１２】
タンパク質有効成分の粒子が、０．０１％〜１００％のタンパク質有効成分含量である、請求項１〜１１のいずれか一項に記載の処方剤。
【請求項１３】
タンパク質有効成分の粒子の処方系の含量が、０．１％〜９５％、有利には０．５％〜２５％、いっそう有利には１％〜１０％の範囲である、請求項１〜１２のいずれか一項に記載の処方剤。
【請求項１４】
処方系が、欧州薬局方第３版の命名法による第１種霧化型ジパルミトステアリン酸グリセロールから出発して製造され、０．５％〜１０％、好ましくは１％〜５％のタンパク質有効成分粒子を含有するマトリックスマイクロスフェアである、請求項１〜１３のいずれか一項に記載の処方剤。
【請求項１５】
マトリックスマイクロスフェアが、流体を超臨界圧で用いることによるタンパク質有効成分のカプセル化によって得られる、請求項１〜１４のいずれか一項に記載の処方剤。
【請求項１６】
タンパク質有効成分が、インターフェロンα−２ｂである、請求項１〜１５のいずれか一項に記載の処方剤。
【請求項１７】
欧州薬局方第３版の命名法による第１種霧化型であるジパルミトステアリン酸から出発して製造され、１０％、好ましくは１％〜５％のタンパク質有効成分粒子を含み、前記タンパク質有効成分がインターフェロンα−２ｂである、マトリックスマイクロスフェア。
【請求項１８】
超臨界ＣＯ２に可溶な脂質を含んでなる、皮下注射処方物または筋肉注射処方物中のタンパク質有効成分のバイオアベイラビリティの増強剤。
【請求項１９】
脂質が、周囲温度で固体である、請求項１８に記載の増強剤。
【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
担体粒子と、医薬活性物質をその結合剤と共に含む溶液とを混合することを含む、低用量医薬活性物質を含む製剤の調製方法。
【請求項２】
医薬活性物質の用量が100μg未満である、請求項１に記載の方法。
【請求項３】
医薬活性物質の用量が20μg未満である、請求項２に記載の方法。
【請求項４】
医薬活性物質の用量が1μg未満である、請求項３に記載の方法。
【請求項５】
薬剤・結合剤含有溶液：担体の比が5〜50:100である、請求項１〜４のいずれか１項に記載の方法。
【請求項６】
薬剤・結合剤含有溶液:担体の比が15〜35:100である、請求項５に記載の方法。
【請求項７】
薬剤・結合剤含有溶液:担体の比が20〜30:100である、請求項６に記載の方法。
【請求項８】
製剤が<7.5%のRSDの所望の含量均一性を有する、請求項１〜７のいずれか１項に記載の方法。
【請求項９】
製剤が<6%のRSDの所望の含量均一性を有する、請求項８に記載の方法。
【請求項１０】
製剤が<3%のRSDの所望の含量均一性を有する、請求項９に記載の方法。
【請求項１１】
製剤が固形剤形である、請求項１〜１０のいずれか１項に記載の方法。
【請求項１２】
混合工程が高剪断ミキサーを用いて行われる、請求項１〜１１のいずれか１項に記載の方法。
【請求項１３】
混合物が単位用量製剤として製剤化される、請求項１〜１２のいずれか１項に記載の方法。
【請求項１４】
請求項１〜１３のいずれか１項に記載の方法により得られる、薬剤を含む医薬組成物。
【請求項１５】
医薬活性物質が、化合物(1)(2-メチル-2-[4-{[(4-メチル-2-[4-トリフルオロメチルフェニル]-チアゾール-5-イルカルボニル)アミノ]メチル}フェノキシ]プロピオン酸)
【化１】
2007532511.tif 000001
またはその製薬上許容される塩、溶媒和物、および生理学的機能性誘導体である、請求項１〜１３のいずれか１項に記載の方法。
【請求項１６】
1〜100μgの化合物(1)、またはその製薬上許容される塩、溶媒和物、および加水分解性エステルを、製薬上許容される担体と共に含む、医薬組成物。
【請求項１７】
20μg未満の化合物(1)、またはその製薬上許容される塩、溶媒和物、および生理学的機能性誘導体を、製薬上許容される担体と共に含む、医薬組成物。
【請求項１８】
1〜18μgの化合物(1)、またはその製薬上許容される塩、溶媒和物、および生理学的機能性誘導体を、製薬上許容される担体と共に含む、医薬組成物。
【請求項１９】
1〜10μgの化合物(1)、またはその製薬上許容される塩、溶媒和物、および生理学的機能性誘導体を、製薬上許容される担体と共に含む、医薬組成物。
【請求項２０】
化合物(1)、またはその製薬上許容される塩、溶媒和物、もしくは生理学的機能性誘導体が、2形、6形、およびそれらの混合物を包含する、請求項１６〜１９のいずれか１項に記載の医薬組成物。
【請求項２１】
hPPARにより媒介される疾患または病状を治療するための医薬の製造における、1〜100μgの一日用量の化合物(1)、またはその製薬上許容される塩、溶媒和物、および生理学的機能性誘導体の使用。
【請求項２２】
化合物(1)、またはその製薬上許容される塩、溶媒和物、および生理学的機能性誘導体の一日用量が20μg未満である、請求項２１に記載の使用。
【請求項２３】
化合物(1)、またはその製薬上許容される塩、溶媒和物、および生理学的機能性誘導体の一日用量が1〜18μgである、請求項２２に記載の使用。
【請求項２４】
化合物(1)、またはその製薬上許容される塩、溶媒和物、および生理学的機能性誘導体の一日用量が1〜10μgである、請求項２３に記載の使用。
【請求項２５】
化合物(1)が、2形、6形、またはそれらの混合物を包含する、請求項２１〜２４のいずれか１項に記載の使用。
【請求項２６】
ヒト(h)PPARにより媒介される疾患または病状が、異脂肪血症(関連する糖尿病性異脂肪血症および混合異脂肪血症を包含する)、症候群X(本出願で定義する場合、これは代謝性症候群を包含する)、心不全、高コレステロール血症、心臓血管疾患(アテローム性動脈硬化症、動脈硬化症、および高トリグリセリド血症を包含する)、II型糖尿病、I型糖尿病、インスリン抵抗症、高脂血症、炎症、上皮過増殖疾患(湿疹および乾癬を包含する)、さらには肺および消化管ならびに障害(たとえば、肥満症、拒食過食症、および神経性食欲不振症)を抱えている対象における食欲および食物摂取の調節に関連する病状、癌、アルツハイマー病または他の認知障害を包含する、請求項２１〜２５のいずれか１項に記載の使用。
【手続補正書】
【提出日】平成20年2月1日(2008.2.1)
【手続補正１】
【補正対象書類名】特許請求の範囲
【補正対象項目名】全文
【補正方法】変更
【補正の内容】
【特許請求の範囲】
【請求項１】
以下の式
【化１】
2007532540.tif 000001
［式中、Ｙ１及びＹ２は、同一又は異なってもよく、各々、水素及びヒドロキシ基保護基からなる群から選ばれ、Ｒ６及びＲ８は、同一又は異なってもよく、各々、水素、アルキル、ヒドロキシアルキル及びフルオロアルキルからなる群から選ばれるか又は、一緒になって−（ＣＨ２）ｘ基（ｘは２〜５の整数である）を表し、Ｒ基は以下の構造で表され、
【化２】
2007532540.tif 000002
ここで、炭素２０での立体化学的中心はＲ又はＳ配置でよく、Ｚは、Ｙ、−ＯＹ、−ＣＨ２ＯＹ、−Ｃ≡ＣＹ及び−ＣＨ＝ＣＨＹから選ばれ、ここで、二重結合はシス又はトランス立体化学配置でもよく、Ｙは、水素、メチル、−ＣＯＲ５及び下記の構造の基からなる群から選ばれ、
【化３】
2007532540.tif 000003
ここで、ｍ及びｎはそれぞれ独立に０から５の整数を表わし、Ｒ１は水素、重水素、ヒドロキシ、保護されたヒドロキシ、フルオロ、トリフルオロメチル及び、直鎖若しくは分枝鎖であってよく、場合によってはヒドロキシ若しくは保護されたヒドロキシ置換基を有するＣ１−５−アルキルからなる群から選ばれ、Ｒ２、Ｒ３及びＲ４はそれぞれ独立に重水素、重アルキル（ｄｅｕｔｅｒｏａｌｋｙｌ）、水素、フルオロ、トリフルオロメチル及び、直鎖若しくは分枝鎖であってよく、場合によってはヒドロキシ若しくは保護されたヒドロキシ置換基を有するＣ１−５−アルキルからなる群から選ばれ、かつＲ１及びＲ２は一緒になってオキソ基、アルキリデン基、＝ＣＲ２Ｒ３、又は（ＣＨ２）ｐ−基（ｐは２から５の整数である）を表わし、かつＲ３及びＲ４は一緒になってオキソ基、又は（ＣＨ２）ｑ−基（ｑは２から５の整数である）を表わし、Ｒ５は水素、ヒドロキシ、保護されたヒドロキシ、又はＣ１−５−アルキルを表わし、側鎖中の２０、２２又は２３位のいかなるＣＨ−基も窒素原子で置換されていてもよく、又は、２０、２２又は２３位の−ＣＨ（ＣＨ３）−、−（ＣＨ２）ｍ、−（ＣＨ２）ｎ、若しくは−（ＣＲ１Ｒ２）−のいかなる基も、各々酸素原子又は硫黄原子で置換されていてもよい。］
を有する化合物。
【請求項２】
Ｒが以下の式
【化４】
2007532540.tif 000004
の側鎖である、請求項１記載の化合物。
【請求項３】
（２０Ｓ）−２−メチレン−１８，１９−ジノル−１α，２５−ジヒドロキシビタミンＤ３。
【請求項４】
請求項１記載の少なくとも１の化合物の有効量を医薬的に許容される賦形剤と共に含有する医薬組成物。
【請求項５】
有効量が組成物１グラムあたり約０．０１μｇ〜約１００μｇである、請求項４記載の医薬組成物。
【請求項６】
有効量が組成物１グラムあたり約０．１μｇ〜約５０μｇである、請求項４記載の医薬組成物。
【請求項７】
（２０Ｓ）−２−メチレン−１８，１９−ジノル−１α，２５−ジヒドロキシビタミンＤ３を約０．０１μｇ〜約１００μｇ含有する、請求項４記載の医薬組成物。
【請求項８】
（２０Ｓ）−２−メチレン−１８，１９−ジノル−１α，２５−ジヒドロキシビタミンＤ３を約０．１μｇ〜約５０μｇ含有する、請求項４記載の医薬組成物
【請求項９】
以下の式
【化５】
2007532540.tif 000005
【化６】
2007532540.tif 000006
［式中、Ｘ２は−Ｈ又はヒドロキシル保護基である］
【化７】
2007532540.tif 000007
又は
【化８】
2007532540.tif 000008
［式中、Ｘ３は−Ｈ又はヒドロキシル保護基である］
を有する化合物。
【請求項１０】
骨量を維持又は高めることが必要である代謝性骨疾患、乾癬、白血病、大腸癌、乳癌、皮膚癌、前立腺癌、自己免疫疾患、炎症性大腸炎からなる群から選択される少なくとも１の疾患若しくは状態を治療するため、又は骨強度を高めるための、請求項１記載の化合物を有効量含む、医薬組成物。
【請求項１１】
代謝性骨疾患が、老人性骨粗しょう症、閉経後骨粗しょう症、ステロイド誘導性骨粗しょう症、低骨代謝回転性骨粗しょう症、骨軟化症及び腎性骨ジストロフィーからなる群から選択される少なくとも１の疾患である、請求項１０記載の医薬組成物。
【請求項１２】
骨強度が皮質強度であるか、又は骨梁強度である、請求項１０記載の医薬組成物。
【請求項１３】
自己免疫疾患が、多発性硬化症、真性糖尿病及び狼瘡からなる群から選択される少なくとも１の疾患である、請求項１０記載の医薬組成物。
【請求項１４】
炎症性大腸炎が、クローン病又は潰瘍性大腸炎である、請求項１０記載の医薬組成物。
【請求項１５】
化合物を経口投与するか、非経口的に投与するか、又は経皮投与する、請求項１０記載の医薬組成物。
【請求項１６】
乾癬を治療するための化合物を局所投与する、請求項１０記載の医薬組成物。
【請求項１７】
化合物を１日あたり０．０１μｇ〜１００μｇの用量で投与する、請求項１０記載の医薬組成物。
【請求項１８】
乾癬を治療するための化合物の有効量が約０．０１μｇ／日〜約１００μｇ／日である、請求項１０記載の医薬組成物。
【請求項１９】
化合物が（２０Ｓ）−２−メチレン−１８，１９−ジノル−１α，２５−ジヒドロキシビタミンＤ３である、請求項１０記載の医薬組成物。
【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
（ｉ）３−ヒドロキシ−４−メトキシベンズアルデヒドと脱離基で置換されたシクロアルキル化合物を、炭酸塩及びエーテルの存在下でカップリングすること；及び
（ｉｉ）工程（ｉ）の生成物を単離すること
の工程を含む、フェノキシシクロアルキル化合物を製造するための方法。
【請求項２】
工程（ｉ）における前記エーテルがテトラヒドロフランである、請求項１に記載の方法。
【請求項３】
工程（ｉｉ）において生成物をテトラヒドロフラン中で単離する、請求項１に記載の方法。
【請求項４】
前記フェノキシシクロアルキル化合物が置換ベンズアルデヒドである、請求項１から３のいずれか一項に記載の方法。
【請求項５】
前記脱離基で置換されたシクロアルキル化合物が、式ＣｐＸ［式中、ＸはＢｒ、Ｃｌ、Ｉ、Ｏトシレート、Ｏメシレート及びＯトリフレートであり、Ｃｐはシクロペンチルである］である、請求項１から５のいずれか一項に記載の方法。
【請求項６】
前記脱離基で置換されたシクロアルキル化合物がシクロペンチルブロマイドである、請求項１から５のいずれか一項に記載の方法。
【請求項７】
前記フェノキシシクロアルキル化合物が３−シクロペンチルオキシ−４−メトキシベンズアルデヒドである、請求項１から６のいずれか一項に記載の方法。
【請求項８】
前記３−シクロペンチルオキシ−４−メトキシベンズアルデヒドが９９％以上の純度を有する、請求項７に記載の方法。
【請求項９】
前記３−シクロペンチルオキシ−４−メトキシベンズアルデヒドを前記エーテルに溶解する、請求項８又は請求項９に記載の方法。
【請求項１０】
前記３−シクロペンチルオキシ−４−メトキシベンズアルデヒドの製薬上許容される塩を形成することをさらに含む、請求項７から９のいずれか一項に記載の方法。
【請求項１１】
前記炭酸塩が炭酸カリウムである、請求項１から１０のいずれか一項に記載の方法。
【請求項１２】
前記炭酸カリウムが炭酸カリウムセスキ水和物又は重炭酸カリウムである、請求項１１に記載の方法。
【請求項１３】
前記炭酸塩の粒状度が３０から５０μｍである、請求項１から１２のいずれか一項に記載の方法。
【請求項１４】
前記エーテルが無水である、請求項１から１３のいずれか一項に記載の方法。
【請求項１５】
相間移動試薬をさらに含む、請求項１から１４のいずれか一項に記載の方法。
【請求項１６】
前記相間移動試薬がテトラブチルアンモニウムブロマイドである、請求項１５に記載の方法。
【請求項１７】
工程（ｉｉ）の生成物をウィッティヒオレフィン化反応において使用する、請求項１から１６のいずれか一項に記載の方法。
【請求項１８】
工程（ｉｉ）の生成物を有機金属化合物と組み合わせる、請求項１から１６のいずれか一項に記載の方法。
【請求項１９】
前記方法の工程（ｉ）をアセトン、ジメチルホルムアミド又はアセトニトリルの不在下で実施する、請求項１から１８のいずれか一項に記載の方法。
【請求項２０】
前記方法を前記エーテルの沸点で実施する、請求項１から１９のいずれか一項に記載の方法。
【請求項２１】
工程（ｉｉ）がろ過を含む、請求項１から２０のいずれか一項に記載の方法。
【請求項２２】
シクロアルキルがシクロペンチルブロマイドであり、炭酸塩が炭酸カリウムであり、及び生成物をろ過によって単離する、請求項１から４のいずれか一項に記載の方法。
【請求項２３】
工程（ｉ）において相間移動試薬をさらに含む、請求項２２に記載の方法。
【請求項２４】
（ｉ）３−ヒドロキシ−４−メトキシベンズアルデヒドとシクロペンチルブロマイドを、炭酸カリウム及びテトラヒドロフランの存在下でカップリングすること；及び
（ｉｉ）得られた３−シクロペンチルオキシ−４−メトキシベンズアルデヒドを単離すること
の工程を含む、３−シクロペンチルオキシ−４−メトキシベンズアルデヒドを製造するための方法。
【請求項２５】
（ｉ）３−ヒドロキシ−４−メトキシベンズアルデヒドとシクロペンチルブロマイドを、炭酸カリウム、テトラブチルアンモニウムブロマイド及びテトラヒドロフランの存在下でカップリングすること；及び
（ｉｉ）得られた３−シクロペンチルオキシ−４−メトキシベンズアルデヒドを単離すること
の工程を含む、３−シクロペンチルオキシ−４−メトキシベンズアルデヒドを製造するための方法。
【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
内部空間と外部空間を画定するハウジングのための通気口であって、
a)該ハウジングによって画定された内部空間と外部空間の間を流体が通過するための開口部と、その開口部を囲む第一膜保持金属表面とを含む金属製本体、
b)該第一膜保持金属表面と接触している第一面を有する多孔質高分子膜、及び
c)第二膜保持金属表面を有し、かつ前記本体に締り嵌めで取り付けられている金属製シェル
を含んでなり、該第一膜保持金属表面と該第二膜保持金属表面の間で該膜が押圧されることで防湿性シールが形成されることを特徴とする通気口。
【請求項２】
該膜を保護するキャップをさらに備えている請求項１に記載の通気口。
【請求項３】
該キャップがさらに、流体が通過する穿孔を少なくとも一つ備えている請求項２に記載の通気口。
【請求項４】
該膜が気体透過性でかつ耐液性である請求項１に記載の通気口。
【請求項５】
該多孔質高分子膜が延伸ポリテトラフルオロエチレン（ePTFE）を含有している請求項１に記載の通気口。
【請求項６】
該多孔質高分子膜がePTFE及び少なくとも一つの支持層を含有している請求項５に記載の通気口。
【請求項７】
該膜がePTFE及び充填剤を含有している請求項５に記載の通気口。
【請求項８】
該充填剤が、吸収剤、吸着剤、表面エネルギー調節剤、着色剤、顔料、抗微生物剤、抗菌剤、抗真菌剤及びこれらの混合物からなる群から選択される請求項７に記載の通気口。
【請求項９】
該膜がさらにコーティングを含有している請求項５に記載の通気口。
【請求項１０】
該コーティングが、吸収剤、吸着剤、表面エネルギー調節剤、着色剤、顔料、抗微生物剤、抗菌剤、抗真菌剤及びこれらの混合物からなる群から選択される請求項９に記載の通気口。
【請求項１１】
該膜の厚さが０．３３０ｍｍ（13ミル）未満である請求項１に記載の通気口。
【請求項１２】
該膜の厚さが０．２５４ｍｍ（10ミル）未満である請求項１に記載の通気口。
【請求項１３】
該膜の厚さが０．１２７ｍｍ（5ミル）未満である請求項１に記載の通気口。
【請求項１４】
該膜の厚さが０．０７６ｍｍ（3ミル）未満である請求項１に記載の通気口。
【請求項１５】
該シールが気密シールである請求項１に記載の通気口。
【請求項１６】
該通気口本体がステンレス鋼で構成されている請求項１に記載の通気口。
【請求項１７】
内部空間と外部空間を画定するハウジングのための通気口であって、
a)該ハウジングによって画定された内部空間と外部空間の間を流体が通過するための開口部と、その開口部を囲む膜保持表面とを含む金属製本体、
b)該第一膜保持表面と接触している第一面及び該第一面と反対側の第二面を有する、該開口部を覆う多孔質高分子膜、並びに
c)該膜の第二面に接触する第二膜保持表面を有し、かつ前記本体に締り嵌めで取り付けられて該開口部を囲む防湿性シールを形成する金属製シェル
を含んでなる通気口。
【請求項１８】
該膜を保護するキャップをさらに有する請求項１７に記載の通気口。
【請求項１９】
該キャップが、流体が通過する少なくとも一つ穿孔をさらに含む請求項１８に記載の通気口。
【請求項２０】
該膜がePTEFを含有している請求項１７に記載の通気口。
【請求項２１】
該膜がePTEF及び少なくとも一つの支持層を含有している請求項２０に記載の通気口。
【請求項２２】
該膜がePTEF及び充填剤を含有している請求項２０に記載の通気口。
【請求項２３】
該充填剤が、吸収剤、吸着剤、着色剤、表面エネルギー調節剤、顔料、抗微生物剤、抗菌剤、抗真菌剤及びその混合物からなる群から選択される請求項２２に記載の通気口。
【請求項２４】
該膜がさらにコーティング含んでいる請求項２０に記載の通気口。
【請求項２５】
該コーティングが、吸収剤、吸着剤、表面エネルギー調節剤、着色剤、顔料、抗微生物剤、抗菌剤、抗真菌剤及びその混合物からなる群から選択される請求項２４に記載の通気口。
【請求項２６】
該膜が気体透過性でかつ耐液性である請求項１７に記載の通気口。
【請求項２７】
該膜の厚さが、０．３３０ｍｍ（13ミル）未満である請求項１７に記載の通気口。
【請求項２８】
該膜の厚さが、０．２５４ｍｍ（10ミル）未満である請求項１７に記載の通気口。
【請求項２９】
該膜の厚さが、０．１２７ｍｍ（5ミル）未満である請求項１７に記載の通気口。
【請求項３０】
該膜の厚さが、０．０７６ｍｍ（3ミル）未満である請求項１７に記載の通気口。
【請求項３１】
該シールが気密シールである請求項１７に記載の通気口。
【請求項３２】
該シェルが、さらに、液体が該膜に接触するのを防止するため、該少なくとも一つの穿孔と該膜との間に配置されたじゃま板を有する請求項１７に記載の通気口。
【請求項３３】
該通気口本体と該シェルが、ステンレス鋼製である請求項１７に記載の通気口。
【請求項３４】
a)設備又は化学薬剤を封入するためのハウジング、
b)該ハウジングのポート、
c)該ポートの上に配置され、気体が通過する開口部を有する金属製本体から本質的になる通気口、
d)該開口部に跨る多孔質膜、
e)気体が通過する穿孔を有しかつ前記本体に締り嵌めで取り付けられている金属製キャップ
を含んでなり、該金属製本体と該金属製キャップの間で該膜が押圧されることで該膜と該本体との間に防湿性シールが形成されることを特徴とする装置。
【請求項３５】
内部空間と外部空間を画定するハウジングのための通気口の製造方法であって、
a)該ハウジングによって画定された内部空間と外部空間の間を気体が通過するための開口部を含む金属製本体を提供し、
b)多孔質高分子膜が該金属製本体に接触するように該膜で該開口部を覆い、
c)穿孔を有する金属製カバーを締り嵌めで該金属製本体に取り付けることにより、該金属製カバーが該金属製カバーと該金属製本体の間で該多孔質高分子膜を押圧し、よって該開口部を包囲する防湿性シールが形成されることを特徴とする方法。
【手続補正書】
【提出日】平成20年2月25日(2008.2.25)
【手続補正１】
【補正対象書類名】特許請求の範囲
【補正対象項目名】全文
【補正方法】変更
【補正の内容】
【特許請求の範囲】
【請求項１】
第１の主面と前記第１の主面の反対の第２の主面とを有し、面積Ａ１を有する膨張層と、
前記膨張層の前記第１の主面に対向していて、無機繊維を含み、面積Ａ１より大きな面積Ａ２を有する第１の非膨張層と、
前記膨張層の前記第２の主面に対向していて、無機繊維を含み、面積Ａ１より大きな面積Ａ３を有する第２の非膨張層とを含み、
前記膨張層が、前記第１の非膨張層の前記面積Ａ２と前記第２の非膨張層の前記面積Ａ３の完全に内側に配置されている多層マット。
【請求項２】
前記膨張層が、互いに分離された少なくとも２つのセグメントに分割されている、請求項１に記載の多層マット。
【請求項３】
前記膨張層の厚さが、合計マット厚さの５〜２５パーセントである、請求項１に記載の多層マット。
【請求項４】
前記第１の非膨張層が、前記膨張層に対向する側に第１のトラフを有しており、前記膨張層が前記トラフに配置されている、請求項１に記載の多層マット。
【請求項５】
前記第２の非膨張層が、前記膨張層に対向する側に第２のトラフを有しており、前記第２のトラフが前記第１のトラフと位置合せされており、前記膨張層が前記第１および第２のトラフに配置されている、請求項４に記載の多層マット。
【請求項６】
前記第１の非膨張層が長さＬ２を有し、前記第２の非膨張層が長さＬ２に実質的に等しい長さを有し、前記第１の非膨張層が幅Ｗ２を有し、前記第２の非膨張層が幅Ｗ２に実質的に等しい幅を有し、前記膨張層の幅Ｗ１がＷ２より狭く、前記膨張層の長さＬ１がＬ２に実質的に等しく、前記第２の非膨張層が、前記多層マットの少なくとも一端に沿って前記第１の非膨張層と接触している、請求項１に記載の多層マット。
【請求項７】
外側筐体と、
汚染防止要素と、
前記汚染防止要素と前記外側筐体との間に配置された、請求項１〜６のいずれか一項の記載の多層装着マットとを含む、汚染防止装置。
【請求項８】
第１の非膨張層が、前記マットの少なくとも一端に沿って前記第２の非膨張層と接触しており、前記少なくとも一端が前記汚染防止装置のガス入口側に配置されている、請求項７に記載の汚染防止装置。
【請求項９】
前記膨張層が互いに分離された少なくとも２つのセグメントに分割されており、前記汚染防止要素が、楕円形断面を有しており、前記膨張層のセグメントが、前記汚染防止要素の小さな曲率半径の部分にわたって配置されている、請求項７に記載の汚染防止装置。
【請求項１０】
第１の主面と前記第１の主面の反対の第２の主面とを有し、面積Ａ１を有する膨張層を提供する工程と、  前記膨張層の前記第１の主面に対向していて、無機繊維を含み、面積Ａ１より大きな面積Ａ２を有する第１の非膨張層を配置する工程と、  前記膨張層の前記第２の主面に対向していて、第１の非膨張層と位置合せされており、無機繊維を含み、面積Ａ１より大きな面積Ａ３を有する第２の非膨張層を配置する工程と含み、  前記膨張層が、前記第１の非膨張層の前記面積Ａ２と前記第２の非膨張層の前記面積Ａ３の完全に内側に配置されている多層マットを製造する方法。